(57)【要約】  接続キャリアであって、絶縁要素（１３）が、結合要素（１１）とは反対側の接触要素（１２）の面に配置されており、結合要素（１１）が、横方向に接触要素（１２）を超えて突き出しており、絶縁要素（１３）が、接触要素（１２）の接触要素カバー面（１２ａ）（この面は結合要素（１１）とは反対側である）を覆っており、かつ、接触要素の接触要素側面（１２ｃ）（この面は基板（１０）の基板側面（１０ｃ）の側である）を覆っており、基板（１０）の基板カバー面（１０ａ）が、中央領域（１８）において自由にアクセス可能であり、中央領域（１８）が横方向に絶縁要素（１３）によって囲まれている、接続キャリア、を開示する。
2019512165.tif 000002
【特許請求の範囲】
【請求項１】
接続キャリア（１）であって、
−  基板上面（１０ａ）と、前記基板上面（１０ａ）とは反対側の基板下面（１０ｂ）と、基板側面（１０ｃ）とを備えている基板（１０）と、
−  電気絶縁性である結合要素（１１）と、
−  導電性である接触要素（１２）と、
−  電気絶縁性である絶縁要素（１３）と、
を備えており、
−  前記結合要素（１１）が前記基板上面（１０ａ）に配置されており、
−  前記接触要素（１２）が、前記基板（１０）とは反対側の前記結合要素（１１）の面に配置されており、
−  前記絶縁要素（１３）が、前記結合要素（１１）とは反対側の前記接触要素（１２）の面に配置されており、
−  前記基板側面（１０ｃ）が、前記基板上面（１０ａ）と前記基板下面（１０ｂ）とを結合しており、
−  前記絶縁要素（１３）が、前記結合要素（１１）とは反対側の接触要素カバー面（１２ａ）においてと、前記基板側面（１０ｃ）の側の接触要素側面（１２ｃ）とにおいて、前記接触要素（１２）を覆っており、
−  前記基板上面（１０ａ）が、中央領域（１８）において自由にアクセス可能であり、
−  前記中央領域（１８）の側方が、前記絶縁要素（１３）によって囲まれている、
接続キャリア（１）。
【請求項２】
前記結合要素（１１）が、横方向に前記接触要素（１２）を超えて突き出している、
請求項１に記載の接続キャリア（１）。
【請求項３】
前記絶縁要素（１３）が、前記基板（１０）とは反対側の結合要素カバー面（１１ａ）において前記結合要素（１１）を覆っている、
請求項１または請求項２のいずれか１項に記載の接続キャリア（１）。
【請求項４】
前記絶縁要素（１３）が、前記基板側面（１０ｃ）の側の結合要素側面（１１ｃ）において前記結合要素（１１）を覆っている、
請求項１から請求項３のいずれか１項に記載の接続キャリア（１）。
【請求項５】
前記絶縁要素（１３）が、部分的に前記基板（１０）に直接接触している、
請求項１から請求項４のいずれか１項に記載の接続キャリア（１）。
【請求項６】
前記中央領域（１８）の側方が、前記絶縁要素（１３）によって完全に囲まれている、
請求項１から請求項５のいずれか１項に記載の接続キャリア（１）。
【請求項７】
前記結合要素（１１）および前記接触要素（１２）が、平面視において部分的に湾曲している、
請求項１から請求項６のいずれか１項に記載の接続キャリア（１）。
【請求項８】
前記基板（１０）が、前記基板上面（１０ａ）の少なくとも前記中央領域（１８）において、光に対する少なくとも８０％の反射率、特に、少なくとも９０％の反射率を有する、
請求項１から請求項７のいずれか１項に記載の接続キャリア（１）。
【請求項９】
オプトエレクトロニクス部品（２）であって、
−  請求項１から請求項８のいずれか１項に記載の接続キャリア（１）と、
−  少なくとも２個のオプトエレクトロニクス半導体チップ（２０）と、
を備えており、
−  前記オプトエレクトロニクス半導体チップ（２０）が、前記基板上面（１０ａ）の前記中央領域（１８）において前記基板（１０）に実装されており、
−  前記オプトエレクトロニクス半導体チップが前記接触要素（１２）に導電接続されている、
オプトエレクトロニクス部品（２）。
【請求項１０】
前記オプトエレクトロニクス半導体チップ（２０）が、透明な電気絶縁性の包囲体（２２）によって囲まれており、前記包囲体（２２）が、基板上面（１０ａ）において前記基板（１０）に直接接触している、
請求項１から請求項９のいずれか１項に記載のオプトエレクトロニクス部品（２）。
【請求項１１】
前記包囲体（２２）が、前記絶縁要素（１３）に直接接触している、
請求項１０に記載のオプトエレクトロニクス部品（２）。
【請求項１２】
前記オプトエレクトロニクス半導体チップ（２０）の側の絶縁要素の外縁部（１３ｄ）が、前記包囲体（２２）の停止縁部としての役割を果たしている、
請求項１１に記載のオプトエレクトロニクス部品（２）。
【請求項１３】
外側から接触する目的で設けられている接点（１５）を除くいずれの位置においても、前記接触要素（１２）が自由にアクセス可能ではない、
請求項１から請求項１２のいずれか１項に記載のオプトエレクトロニクス部品（２）。
【請求項１４】
請求項１から請求項１３のいずれかに記載の接続キャリア（１）またはオプトエレクトロニクス部品（２）を製造する方法であって、
−  互いに結合されている複数の基板（１０）を備えているアセンブリが設けられ、
−  前記基板（１０）に実装開口部（１４）および分離開口部（１７）が打ち抜きによって作製され、
−  前記アセンブリが前記分離開口部（１７）に沿って分離される、
方法。
【発明の詳細な説明】
【技術分野】
【０００１】
本発明は、接続キャリア、オプトエレクトロニクス部品、および接続キャリアまたはオプトエレクトロニクス部品の製造方法に関する。
【背景技術】
【０００２】
特許文献１および特許文献２それぞれには、接続キャリア、オプトエレクトロニクス半導体部品、および接続キャリアの製造方法が記載されている。
【先行技術文献】
【特許文献】
【０００３】
【特許文献１】米国特許第８，９７５，５３２号明細書
【特許文献２】独国特許第１０２００８０４４８４７号明細書
【特許文献３】独国特許出願公開第１０２０１５１０７６７５．８号明細書
【発明の概要】
【発明が解決しようとする課題】
【０００４】
解決すべき課題の１つは、特に高い費用効率で製造することのできる接続キャリアおよびオプトエレクトロニクス部品を開示することである。解決すべき別の課題は、特に安全に使用することのできる接続キャリアおよびオプトエレクトロニクス部品を開示することである。
【課題を解決するための手段】
【０００５】
接続キャリアを開示する。本接続キャリアは、例えば、電気的接続および電気的接触のための接触要素および接点を有する回路基板である。さらに、本接続キャリアは、半導体チップなどの電子部品が上に配置されて固定される機械的支持キャリアとしての役割も果たす。
【０００６】
少なくとも一態様によれば、本接続キャリアは、基板を備えている。基板は、基板の上側における基板の主面によって形成されている基板上面を有する。さらに、基板は、基板上面とは反対側の基板下面と、基板上面を基板下面に結合している少なくとも１つの基板側面とを備えている。
【０００７】
基板上面および基板下面は、例えば円形またはｎ角形とすることができる。一態様においては、基板は直方体とすることができ、基板上面および基板下面が長方形（特に、正方形）である。この場合、基板の辺長は、例えば、少なくとも２ｍｍ、最大で５０ｍｍの範囲内、特に、少なくとも６ｍｍ、最大で３５ｍｍの範囲内とすることができる。
【０００８】
基板は、接続キャリアの機械的支持要素である。すなわち基板は、接続キャリアの他の構成要素を機械的に支持および担持するように意図されている。基板は、機械的に自立性である。この目的のため、基板は、剛性または可撓性とすることができる。
【０００９】
接続キャリアにおける基板は、機械的支持特性に加えて、さらなる特性を採用することができる。例えば、基板上面において光を吸収する、または反射するように、基板を設計することができる。この場合、基板は、接続キャリアにおける光学特性を採用することができる。
【００１０】
さらには、基板が接続キャリアにおける電気的特性を引き継ぐことが可能である。この目的のため、基板は、例えば、基板上面において導電性または電気絶縁性とすることができる。
【００１１】
基板は、主延在面を有し、主延在面に沿って２つの横方向に延びている。基板の主延在面は、例えば、製造公差の範囲内で基板の上面および／または下面に平行である、または沿っていることができる。この場合、主延在面に垂直に（縦方向に）、例えば少なくとも１つの基板側面が延在する。この場合、この方向に沿った基板の厚さは、横方向における基板の範囲に対して特に小さくすることができる。
【００１２】
基板は、薄板、例えば薄いキャリア金属板とすることができる。基板は、例えば、少なくとも０．３ｍｍ、最大で２．２ｍｍの範囲内、特に、最大で１．５ｍｍの範囲内の厚さを有することができる。特に、基板が少なくとも０．５ｍｍ、最大で１．０ｍｍの厚さを有することが可能である。
【００１３】
基板は、金属を含む、または金属からなることができる。基板は、例えば多層構造である。この場合、基板は、基体と、誘電体層系と、オプションとして金属反射層とを有することができる。例えば、基体の露出した外面が基板の下面を形成することができる。さらに、誘電体層系または金属反射層の露出した外面が、基板上面を少なくとも部分的に形成することができる。基板の基体は、例えば、アルミニウムなどの金属を使用して形成する、または金属からなることができる。基板下面とは反対側の基板本体の一方の面を、帯状に陽極酸化する（band anodized）、および／または陽極酸化することができる。オプションとして、この領域に金属反射層を存在させることができ、金属反射層は、例えばアルミニウムまたは銀を使用して形成されている、またはアルミニウムまたは銀の一方からなる。基体と金属反射層との間に積層体を設けることができ、積層体はＥｌｏｘ層を含むことができる。Ｅｌｏｘ層は、酸化物、特に酸化アルミニウムまたは酸化銀を含むことができる。
【００１４】
誘電体層系は、いくつかの層を備えていることができ、この場合、層系の層の少なくとも１つは、酸化物を含む、または酸化物からなることができる。例えば、層系は、ＴｉＯ２、ＳｉＯ２、Ａｌ２Ｏ３、Ｎｂ２Ｏ５、またはＴａ２Ｏ５を含む。層系は、特に、誘電体ミラー（ブラッグミラーなど）として設計することができる。
【００１５】
このようにして形成された接続キャリアは、例えば特許文献３に別の文脈において記載されている。この特許出願の開示内容は、参照により本明細書に組み込まれている。
【００１６】
少なくとも一態様によれば、本接続キャリアは、結合要素を備えている。結合要素は、電気絶縁性であるように設計されている。結合要素は、本接続キャリアの構成要素を特に材料間固定法において（in a material-locking manner）互いに結合する要素である。例えば、「材料間固定」結合（"material-locking" connection）は、本明細書においては、結合される両要素が原子間力および／または分子間力によって互いに保持される結合である。材料間固定結合は、例えば、機械的な破壊を伴わずに分離され得ないことを特徴とする。すなわち、機械的な力によって材料間固定結合の解放を試みるとき、結合相手および／または結合要素の少なくとも一方が破壊される、および／または損傷する。材料間固定結合の解放を試みるとき、特に、結合要素が破壊される、および／または損傷する。
【００１７】
材料間固定結合は、例えば、接着結合、溶接結合、および／または融着結合である。さらには、結合要素の材料を結合相手の少なくとも１つの上に噴霧する、および／または蒸着することによって、材料間固定結合を形成することができる。結合要素は、例えば、接着剤または粘着テープとすることができる。
【００１８】
結合要素は、特に、酸化物材料、窒化物材料、ポリマー材料、および／またはプラスチック材料を使用して形成する、またはこれらの材料のうちの１種類からなることができる。例えば、結合要素は粘着テープであり、ここで用語「テープ」は、結合要素の形状を記述することを意図しておらず、例えば結合要素が平面視において湾曲した外縁部を有することもできる。
【００１９】
結合要素は、例えば、ＰＥＴまたはフルオロポリマーからなるキャリア層、あるいはこれらの材料を含むキャリア層、を有することができる。キャリア層は、両面を接着層によって被覆することができる。接着層は、特定の接触圧力を超えたときにのみ大きな接着強さを生み出すように開発することができる。さらに接着層は、基板の完成状態において露出している粘着テープの領域に粒子が意図せず付着しないように、例えばプラズマ処理によって、露出した領域においては硬化させることができる、または接着強さを失うように、開発することもできる。
【００２０】
結合要素は、例えば、製造公差の範囲内で均一な厚さを有する層として設計することができる。この場合、結合要素の厚さは、例えば、少なくとも５μｍ、最大で２００μｍの範囲内、特に、少なくとも１５μｍ、最大で１００μｍの範囲内とすることができる。
【００２１】
本接続キャリアの少なくとも一態様によれば、接続キャリアは、導電性である接触要素を備えている。接触要素は、少なくとも１種類の金属を含む、または少なくとも１種類の金属からなることができる。接触要素は、例えば、被覆部が設けられている基材を含むことができる。例えば、接触要素は、ステンレス鋼または銅を含む基材、あるいはこれらの材料の一方からなる基材、を含むことができる。基材の被覆部は、接触要素の少なくとも１つの主面に形成することができ、基材とは反対側のその上面において、銀または金などの金属からなる、またはこれらの金属の１種類を含むことができる。被覆部と基材との間に、接着促進剤および／または拡散障壁としての別の材料を導入することができ、この別の材料は、例えば、チタン、白金、パラジウム、および／またはニッケルを含む、あるいはこれらの材料の１種類からなることができる。
【００２２】
接触要素は、製造公差の範囲内で一定の厚さを有することができる。例えば、接触要素は、少なくとも５μｍ、最大で２００μｍの範囲内、特に、少なくとも２０μｍ、最大で８０μｍの範囲内の厚さを有する。
【００２３】
本接続キャリアの少なくとも一態様によれば、接続キャリアは、電気絶縁性であるように設計されている絶縁要素を備えている。絶縁要素は、例えば、結合要素に類似して構築されている構成要素とすることができ、この場合、絶縁要素は、１つの主面において接着剤または接着特性を有すればよく、２番目の主面は接着性でなくてよく非接着性でよい。さらに、絶縁要素は、噴霧工程および／または蒸着工程および／または印刷工程によって塗布される材料とすることができる。この場合、絶縁要素は、ラッカー層（特に、ソルダーレジストラッカー層）とすることができる。絶縁要素は、接続キャリアの電気絶縁構成要素としての電気的特性に加えて、接続キャリアにおいて光学的な役割を果たすこともできる。この目的のため、絶縁要素は、例えば黒色、有色、または白色とすることができる。
【００２４】
絶縁要素にラッカーを使用することは、有利であることも判明し、なぜならこのようにすることで、絶縁要素が、中央領域に面する結合要素の側も覆うことができ、これにより、特に青色光または紫外線による結合要素に対するストレスが相当に減少し、したがって結合要素の経時安定性が向上するためである。
【００２５】
本接続キャリアの少なくとも一態様によれば、結合要素が基板上面に配置されており、接触要素が、基板とは反対側の結合要素の面に配置されており、絶縁要素が、結合要素とは反対側の接触要素の面に配置されている。本接続キャリアの構成要素（すなわち基板、結合要素、接触要素、および絶縁要素）は、材料間固定法において互いに結合することができる。特に、結合要素は、基板と接触要素との間の材料間固定結合を提供する。
【００２６】
本接続キャリアの少なくとも一態様によれば、絶縁要素は、結合要素とは反対側の接触要素カバー面においてと、基板側面の側の接触要素側面において、接触要素を覆っている。特に、絶縁要素が、接触要素カバー面から接触要素側面まで、途切れることなく延在していることが可能である。基板側面の側ではない接触要素側面は、絶縁要素が存在しないままとすることができる。ただし、基板側面の側ではない接触要素側面が、少なくとも部分的に絶縁要素によって覆われていることも可能である。しかしながら、特に、基板側面の側のすべての接触要素側面は、絶縁要素によって完全に覆われている。これに対して、接触要素カバー面は、部分的に絶縁要素が存在しておらず、一部のみが絶縁要素によって覆われている。絶縁要素によって、特に接続キャリアの外縁部において接触要素を電気的に絶縁することが可能であり、これにより、接続キャリアの外縁部における沿面距離（creepage distance）を回避することができる。
【００２７】
本接続キャリアの少なくとも一態様によれば、基板上面は、中央領域において自由にアクセス可能である。すなわち、基板上面の少なくとも中央領域には、接続キャリアの他の構成要素（結合要素、接触要素、絶縁要素など）が存在せず、基板上面がこれらの構成要素によって覆われていない。このようにすることで、基板上面が自由にアクセス可能であり、基板上面が、例えば、接続キャリアに取り付けられて電気的に接続される半導体部品の実装面の役割を果たすことができる。この場合、例えば、半導体デバイスを基板に直接接触させることができる、または、基板と半導体デバイスとの間に接続手段のみが配置される。
【００２８】
本接続キャリアの少なくとも一態様によれば、中央領域の側方は、絶縁要素によって囲まれている。すなわち、絶縁要素は、少なくとも一方向において中央領域から横方向に隔てて配置されている。特に、絶縁要素が側方において中央領域を部分的に、または完全に囲んでいることが可能である。絶縁要素を中央領域から隔てて配置することができ、したがって接続キャリアの他の構成要素が、少なくとも部分的に中央領域と絶縁要素との間に配置される。絶縁要素は、接続キャリアの外縁部において沿面距離を回避する役割を果たす。このことは特に効果的に達成することができ、なぜなら中央領域の側方が絶縁要素によって囲まれているためである。
【００２９】
言い換えれば、中央領域とは反対側の接触要素の側面および／または結合要素の側面が、絶縁要素によって覆われている。したがって、絶縁要素によって、特に、接続キャリアの外縁部を電気的に絶縁可能とすることができる。
【００３０】
接続キャリアの少なくとも１つの設計によれば、接続キャリアであって、
−  基板上面と、基板上面とは反対側の基板下面と、基板側面とを備えている基板と、
−  電気絶縁性である結合要素と、
−  導電性である接触要素と、
−  電気絶縁性である絶縁要素と、
を備えており、
−  結合要素が基板上面に配置されており、
−  接触要素が、基板とは反対側の結合要素の面に配置されており、
−  絶縁要素が、結合要素とは反対側の接触要素の面に配置されており、
−  基板側面が、基板上面と基板下面とを結合しており、
−  絶縁要素が、結合要素とは反対側の接触要素カバー面においてと、基板側面の側の接触要素側面とにおいて、接触要素を覆っており、
−  基板上面が、中央領域において自由にアクセス可能であり、
−  中央領域の側方が、絶縁要素によって囲まれている、
接続キャリア、を開示する。
【００３１】
この場合、接続キャリアは、接触要素が上に配置されているただ１つの結合要素を備えていることができる、または、接続キャリアは、２つ以上の接触要素が上に配置されている２つ以上の結合要素を備えている。
【００３２】
接続キャリアの説明した構成要素は、特に、互いに直接隣接していることが可能であり、すなわち、結合要素が基板に直接隣接しており、接触要素が結合要素に直接隣接しており、絶縁要素が、少なくとも接触要素に直接隣接しており、必要な場合、結合要素および／または基板にも直接隣接している。これらの構成要素の間の結合は、材料間固定結合とすることができる。これにより、接続キャリアの少なくとも外縁部において、接触要素の特に安全な電気的絶縁が可能になる。この場合、接続キャリアは、上に言及した構成要素から構成することができる。すなわち接続キャリアは、基板と、結合要素と、接触要素と、絶縁要素とから構成されており、この場合、結合要素、接触要素、および絶縁要素は、それぞれ１つまたは複数存在することができる。
【００３３】
さらには、ただ１つの結合要素の上に２つ以上の接触要素が配置されていることが可能であり、この場合、基板とは反対側の結合要素カバー面に接触要素が存在しない領域を、接触要素の間に存在させることができる。接続キャリアは、結合要素および必要な場合には絶縁要素によって互いに電気的に分離されている、少なくとも２つの電気的に分離された接触要素を備えていることが好ましい。これら２つ以上の接触要素は、接続キャリアに取り付けて導電的に接触させる構成要素を接続するために使用することができる。
【００３４】
本明細書に記載されている接続キャリアは、特に以下の考察に基づく。
【００３５】
接続キャリアを形成する１つの方法は、例えば、反射性の銀のミラーを上面に有するアルミニウムキャリアプレートを備えた高い反射性の基板に、プリント基板（ＰＣＢ）を貼り付けることであり、基板の上面においては、例えば発光部品を実装するための領域が省かれている。別の可能な方法は、構成要素を接続するための導体経路の役割を果たすメタライゼーションが上に形成された、特に白色のセラミック材料を、基板として使用することである。しかしながら、上に挙げた接続キャリアは、製造コストが比較的高い。したがって本明細書に記載されている接続キャリアは、このような接続キャリアと比較して、特に低い製造コストを特徴とする。
【００３６】
さらに、本明細書に記載されている接続キャリアは、上に挙げた接続キャリアと区別されるさらなる特徴を有することができる。例えば、接続キャリアの２つの向かい合う象限（例えば接続キャリアに接触するための接点が形成されていない象限）が、例えば絶縁要素によって覆われている理由で電気的に絶縁されている領域を有することが可能である。これらの領域は、例えば、接続先装置に接続キャリアを組み立てるときに使用される締め具のために設けることができる。このようにすることで、これらの締め具を、例えば導電性構造（金属の保持ばねなど）を使用して設計することができる。さらには、これらの領域に実装開口部（例えばドリル穴）を設けることが可能であり、実装開口部によって、ねじ、リベット、またはボルトを使用して接続キャリアを接続先装置に固定することができる。
【００３７】
さらに、本明細書に記載されている接続キャリアは、接続キャリアの側面（特に、基板側面）を、窪みなしに、できる限りまっすぐに、および／または滑らかに、設計することができることを特徴とする。このようにすることで、接続先装置における接続キャリアの向きを機械的に調整する目的に、側面を利用することができる。
【００３８】
さらには、本明細書に記載されている接続キャリアでは、接触要素を例えば帯形状（すなわち長方形）に形成する必要がない。むしろ、接触要素の形状は、例えば接続キャリアの上に実装して接触させる部品の要件に、平面視において適合させることができる。例えば、接触要素カバー面における接触面を、ワイヤボンディングでの接続用にその形状およびサイズにおいて最適化することができる。
【００３９】
例えば、結合要素および／または接触要素および／または絶縁要素を、基板に成膜する前に打ち抜きまたはレーザ加工によって構造化することが可能である。このようにすることで、接触トラックまたは導体トラックの幾何学形状を柔軟に実施することができる。特に、絶縁要素を、部品に接触するように意図されていない接触要素の露出した領域に接着される、事前に構造化された絶縁箔とすることができる。
【００４０】
さらには、例えば、ＥＳＤ（静電放電：Electro-Static Discharge）保護素子を接触要素に取り付けて、隔てて配置された接触要素にワイヤで接触を形成することができるように、接続キャリアの２つの接触要素を横方向に互いに近くに配置することが可能であり、この場合、ワイヤで接続するには長すぎる接触要素間の距離を橋渡しする必要がない。
【００４１】
さらに、外縁部の側の接触要素の領域を絶縁要素によって電気的に絶縁するために十分な空間が、接触要素と接続キャリアの外縁部との間に利用可能であるように、本明細書に記載されている接続キャリアに接触要素を取り付けることが可能である。これにより、接触要素を絶縁するための複雑な手順（接触要素の端部を折り曲げるなど）の必要性が排除される。
【００４２】
したがって、本明細書に記載されている接続キャリアは、高い費用効率で製造できることのみならず、特に簡単な方法で安全に動作させることができる（すなわち例えば接続キャリアの外縁部における沿面距離を特に簡単な方法で回避することができる）ことを特徴とする。
【００４３】
本接続キャリアの少なくとも一態様によれば、結合要素は、横方向に（すなわち少なくとも１つの横方向において）接触要素を超えて突き出している。特に、結合要素がすべての横方向において接触要素を超えて突き出していることが可能である。すなわち例えば、結合要素は、横方向において接触要素の寸法をわずかに超えて延びており、したがって、結合要素の上に接触要素を配置するときの取付け公差が許容される。突き出し部は特に小さくすることができ、なぜなら突き出し部を使用して沿面距離を生成する必要がないためである。この場合、突き出し部は、例えば少なくとも５０μｍ、最大で３００μｍの範囲内である。極端な場合、突き出し部がまったく存在しないようにすることができる。
【００４４】
本接続キャリアの少なくとも一態様によれば、絶縁要素は、基板とは反対側の結合要素カバー面において結合要素を覆っている。すなわち例えば、絶縁要素が接触要素カバー面から接触要素側面を経て結合要素カバー面まで引き込まれている。このようにすることで、少なくとも、接続キャリアの外縁部の側の接触要素側面を、電気絶縁材料の中に完全に囲むことが可能である。この場合、接触要素の上面および側面が絶縁要素によって覆われ、下面が電気絶縁性の結合要素によって覆われる。例えば、接触要素の側面の領域において、絶縁要素と結合要素が互いに直接隣接しており、材料間固定法において互いに接合されている。結果として、この領域において接触要素が完全に封止される。
【００４５】
本接続キャリアの少なくとも一態様によれば、絶縁要素は、基板側面の側の結合要素側面において結合要素を覆っている。すなわちこの態様では、絶縁要素は、例えば、接触要素カバー面から接触要素側面を経て結合要素カバー面まで導かれており、さらにそこから結合要素側面まで導かれている。絶縁要素は、指定された距離にわたり途切れることなく延在することができる。絶縁要素が結合要素をその側面においてさらに覆っており、かつ材料間固定法において結合要素に結合されている結果として、少なくとも接続キャリアの外縁部の領域において電気絶縁材料による接触要素の封止がさらに改善される。
【００４６】
本接続キャリアの少なくとも一態様によれば、絶縁要素は、部分的に基板に直接接触している。すなわちこの場合、例えば、絶縁要素を接触要素カバー面から接触要素側面を経て結合要素カバー面まで引き込み、さらに結合要素カバー面を経て基板上面および／または基板側面まで引き込み、そこで基板に直接接触させることができる。この設計においては、例えば、接続キャリアがそのすべての外縁部に沿って絶縁要素によって覆われ、接続キャリアの外縁部から、接触要素までの沿面距離および接触要素からの沿面距離が完全に回避される。
【００４７】
本接続キャリアの少なくとも一態様によれば、基板上面の中央領域は、側面において（すなわち横方向において）絶縁要素によって完全に囲まれている。すなわち絶縁要素（例えば基板に直接接触していることができる）は、中央領域を完全に囲み、かつ基板をその外縁部において途切れることなく覆う。
【００４８】
本接続キャリアの少なくとも一態様によれば、結合要素および接触要素は、平面視において部分的に湾曲している。すなわち特に、結合要素および接触要素は、例えば、平面視において長方形である帯状片として設計されているのではなく、平面視において湾曲した外縁部を有する。これらの湾曲した外縁部によって、接続キャリアの１つまたは複数の接触要素の形状を、接続キャリアに固定して電気的に接続する部品の要件に特に正確に適合させることができる。
【００４９】
本接続キャリアの少なくとも一態様によれば、基板は、基板上面の少なくとも中央領域において、光に対する少なくとも８０％の反射率、特に、少なくとも８５％の反射率を有する。基板は、好ましくは少なくとも４３０ｎｍ、最大で７００ｎｍの波長、特に、４５０ｎｍの波長において、この反射率を示す。反射率は、少なくとも９０％であることが好ましい。言い換えれば、例えば中央領域において、主延在面に垂直に基板の基板面に入射する可視光は、少なくとも８０％の確率で、好ましくは少なくとも８５％の確率で、特に好ましくは少なくとも９０％の確率で、反射される。したがって基板は、可視光に対して、特に青色光に対して、高い反射率である。特に多層基板におけるこのような高い反射率は、高い費用効率で生成することができ、特に、本接続キャリアを使用してオプトエレクトロニクス部品を形成することを可能にする。
【００５０】
さらに、オプトエレクトロニクス部品を開示する。本明細書に記載されているオプトエレクトロニクス部品では、特に、本明細書に記載されている接続キャリアを使用することができる。すなわち、接続キャリアに関して開示されているすべての特徴はオプトエレクトロニクス部品に関しても開示され、逆も同様である。本オプトエレクトロニクス部品は、例えば、いわゆるチップオンボードＬＥＤモジュール（chip-on-board LED module）またはいわゆる「光カーネル（light kernel）」である。この場合、例えば、本オプトエレクトロニクス部品において発光ダイオードチップを使用することができる。さらに、これに代えて、またはこれに加えて、本オプトエレクトロニクス部品においてレーザダイオードチップおよび／または光検出器チップを使用することが可能である。
【００５１】
本オプトエレクトロニクス部品の少なくとも一態様によれば、オプトエレクトロニクス部品は、本明細書に記載されている接続キャリアを備えている。さらに、本明細書に記載されているオプトエレクトロニクス部品は、１個、または、特に、少なくとも２個のオプトエレクトロニクス半導体チップ（これらは例えば類似するタイプとすることができる）を備えている。すなわち例えば、これらのオプトエレクトロニクス半導体チップは、製造公差の範囲内で同じものとみなされる半導体チップとすることができる。オプトエレクトロニクス半導体チップは、発光ダイオードチップおよび／またはフォトダイオードチップおよび／またはレーザダイオードチップであることが可能である。
【００５２】
特に、オプトエレクトロニクス半導体チップは、いわゆるサファイアチップとすることができる。これらのチップは、例えば、サファイアから形成されている支持体を備えており、この支持体は、放射を生成するように意図されている活性領域を備えた半導体積層体が上にエピタキシャルに堆積している成長基板の一部である。
【００５３】
少なくとも一態様によれば、オプトエレクトロニクス半導体チップは、基板上面の中央領域において基板に取り付けられている。すなわち、オプトエレクトロニクス半導体チップは、結合要素、接触要素、および絶縁要素が存在しない領域において、基板に貼り付けられている。例えば、中央領域において半導体チップを接着またははんだ付けによって基板に取り付けることができ、この場合、基板とオプトエレクトロニクス半導体チップとの間に電気接続が存在しない。このことは、例えば、基板上面が中央領域において電気絶縁性である、および／または、電気絶縁性の面（特に、サファイアからなるキャリア）を有するオプトエレクトロニクス半導体チップが上面に取り付けられることによって、達成することができる。
【００５４】
少なくとも一態様によれば、オプトエレクトロニクス半導体チップは、接触要素に導電接続されている。特に、オプトエレクトロニクス半導体チップは、接続キャリアの少なくとも２つの接触要素に導電接続されている。本オプトエレクトロニクス部品は、例えば、多数のオプトエレクトロニクス半導体チップを備えており、そのうちの少なくともいくつかが直列に接続されている。この場合、オプトエレクトロニクス半導体チップの直列接続が、接続キャリアの２つの接触要素によって接触されている。
【００５５】
少なくとも一態様によれば、オプトエレクトロニクス部品であって、
−  本明細書に記載の接続キャリアと、
−  少なくとも２個のオプトエレクトロニクス半導体チップと、
を備えており、
−  オプトエレクトロニクス半導体チップが、基板上面の中央領域において基板に取り付けられており、
−  オプトエレクトロニクス半導体チップが接触要素に導電接続されている、
オプトエレクトロニクス部品、を開示する。
【００５６】
本オプトエレクトロニクス部品の少なくとも一態様によれば、オプトエレクトロニクス半導体チップが、光透過性かつ電気絶縁性の包囲体によって囲まれており、包囲体が、基板上面において基板に直接接触している。例えば、基板上面の中央領域における包囲体が基板に直接接触している。包囲体は、特に、オプトエレクトロニクス半導体チップに塗布されているポッティング体である。ポッティング体は、１種類または複数種類の材料の粒子が組み込まれているマトリックス材料を備えていることができる。
【００５７】
例えば、動作時にオプトエレクトロニクス半導体チップによって放出される一次放射の一部を吸収し、別の波長範囲からの（例えばより長い波長を有する）電磁放射を放出するように設計されている蛍光材料の粒子が、マトリックス材料に導入されている。このようにすることで、動作時にオプトエレクトロニクス部品から混合光（例えば白色光）を放出することができる。マトリックス材料は、例えば、シリコーン材料、エポキシ材料、またはシリコーンとエポキシのハイブリッド材料とすることができる。
【００５８】
包囲体は、その光学特性に加えて、オプトエレクトロニクス半導体チップを外部の影響から機械的に保護する役割も果たす。さらに包囲体は、オプトエレクトロニクス部品の電気絶縁性構成要素であり、接続キャリアの接触要素までの沿面距離の回避を支援することができる。
【００５９】
本オプトエレクトロニクス部品の少なくとも一態様によれば、包囲体は、絶縁要素に直接接触している。半導体チップに面する接触要素および結合要素の側における絶縁要素は、例えば、これら２つの要素を経て導かれ、基板上面を覆う。この場合、絶縁要素は、例えばラッカー（例えばソルダーレジスト）を使用して形成されており、絶縁要素がオプトエレクトロニクス半導体チップを完全に囲んでいる。さらには、包囲体が、基板と、結合要素と、接触要素と、絶縁要素とに直接接触していることが可能である。この場合、包囲体が接続キャリアに特に良好に接着することができ、なぜならこの場合には接続キャリアへの接着面が特に大きいためである。
【００６０】
本オプトエレクトロニクス部品の少なくとも一態様によれば、オプトエレクトロニクス半導体チップの側の絶縁要素の外縁部が、包囲体の停止縁部（stop edge）を形成している。この場合には例えば、絶縁要素は接触要素カバー面に配置されており、オプトエレクトロニクス半導体チップに面する結合要素の側においては、結合要素まで延びておらず、接触要素カバー面において終了している。絶縁要素は、この領域において、半導体チップの側の外縁部を有する。この場合、包囲体をオプトエレクトロニクス半導体チップに塗布するとき、包囲体が絶縁要素の外縁部において止まるように、包囲体の材料を例えばその粘性に関して選択することができる。この場合、基板上面の中央領域（オプトエレクトロニクス半導体チップが配置される）における包囲体材料を固定する別の要素（例えば周囲の堤体（ｄａｍ））を必要とせず、これは有利である。
【００６１】
本オプトエレクトロニクス部品の少なくとも一態様によれば、外側から部品に接触するために設けられている接点を除くいずれの位置においても、接触要素は自由にアクセス可能ではない。特に、この場合、接続キャリアのいずれの接触要素も自由にアクセス可能ではないことが可能である。この場合、接続キャリアの１つまたは複数の接触要素は、接続キャリアおよびオプトエレクトロニクス部品の別の構成要素によってほぼ完全に覆われている。例えば、接触要素は、絶縁要素および包囲体によって完全に覆われている。例えば、絶縁要素が包囲体に直接接触しており、横方向において（すなわち側方に）包囲体を完全に囲んでいることが可能である。このようにすることで、オプトエレクトロニクス部品の接触要素までの沿面距離が完全に排除される。この場合、接点の領域においてのみ、絶縁要素に開口部が形成されている。接点は、接続キャリアの外縁部から少なくとも１ｍｍであることが好ましく、これにより、接点と外縁部との間の領域を絶縁要素の材料によって覆うことが可能になる。
【００６２】
これに加えて、接続キャリアまたはオプトエレクトロニクス部品を製造する方法を開示する。本方法は、本明細書に記載されている接続キャリアと、本明細書に記載されているオプトエレクトロニクス部品を製造する目的に使用することができ、すなわち、本明細書に記載されている接続キャリアおよび本明細書に記載されているオプトエレクトロニクス部品に関して開示されているすべての特徴は、本方法に関しても開示され、逆も同様である。
【００６３】
本方法の少なくとも一態様によれば、互いに結合されている複数の基板を備えたアセンブリを最初に設ける。このアセンブリは、例えばパネルまたはエンドレスロール（endless roll）とすることができ、後から個々の基板または個々の接続キャリアに分離することができる。次の工程ステップにおいては、アセンブリの基板に、実装開口部および分離開口部を、打ち抜きによって作製する。実装開口部の打ち抜きと分離開口部の打ち抜きは、共通の工程ステップにおいて有利に実行することができ、したがって基板におけるこれらの開口部を特に効率的に作製することができる。
【００６４】
分離開口部は、例えば、隣り合う基板の間に溝状に延びており、ただし基板の外縁部全体に沿っては延びていない。このようにすることで、分離開口部は、例えば、後の工程ステップにおいて所定の破断位置としての役割を果たす。
【００６５】
最後の工程ステップにおいては、アセンブリを、分離開口部に沿って、多数の基板に分離する。このステップは、例えば、接続キャリアの完成後、またはオプトエレクトロニクス部品の完成後に行うことができ、したがってアセンブリが複数の接続キャリアまたは複数の部品に分離される。
【００６６】
言及した要素および絶縁要素を構造化することによって、公知の接続キャリアと比較して製造コストが増大することがあるが、基板のアセンブリから接続キャリアを分離することに関与する処理量が減少する（接触要素と基板との間の分路（ｓｈｕｎｔ）を回避するために特別な方策を講じる必要がない）ことによって、前者のコスト増大を上回る恩恵がもたらされる。
【００６７】
本明細書に記載されているオプトエレクトロニクス部品は、基板上面の中央領域の表面によって形成される特に大きい発光面を特徴とする。この発光面は、例えば、少なくとも１．５ｍｍ、最大で４５ｍｍ、特に、少なくとも５ｍｍ、最大で３３ｍｍの範囲内の直径を有することができる。特に、この発光面は、約９ｍｍ、約１３ｍｍ、約１９ｍｍ、ないし約２４ｍｍ（それぞれ公差１ｍｍ）の直径を有する。
【００６８】
以下では、本明細書に記載されている接続キャリアと、本明細書に記載されているオプトエレクトロニクス部品と、本明細書に記載されている方法とについて、実施形態および対応する図面を使用してさらに詳しく説明する。
【図面の簡単な説明】
【００６９】
【図１Ａ】本明細書に記載されている接続キャリアの第１の実施形態を概略図を使用して示している。
【図１Ｂ】本明細書に記載されている接続キャリアの第１の実施形態を概略図を使用して示している。
【図１Ｃ】本明細書に記載されている接続キャリアの第１の実施形態を概略図を使用して示している。
【図２】本明細書に記載されている接続キャリアのさらなる実施形態を概略図を使用して示している。
【図３】本明細書に記載されている接続キャリアのさらなる実施形態を概略図を使用して示している。
【図４Ａ】本明細書に記載されているオプトエレクトロニクス部品の実施形態を概略図を使用して示している。
【図４Ｂ】本明細書に記載されているオプトエレクトロニクス部品の実施形態を概略図を使用して示している。
【図５Ａ】図５Ａの概略図は、本明細書に記載されている手順の実施形態を示している。
【図５Ｂ】図５Ｂの概略図は、本明細書に記載されている手順の実施形態を示している。
【図５Ｃ】図５Ｃの概略図は、本明細書に記載されている手順の実施形態を示している。
【発明を実施するための形態】
【００７０】
図面において、同じ要素、類似する要素、または類似する機能の要素には、同じ参照符号を付してある。図面と、図面に示した要素の比率は、正しい縮尺ではないものとみなされたい。むしろ、便宜上、および／または理解を容易にする目的で、個々の要素を誇張した大きさで示してあることがある。
【００７１】
図１Ａは、本明細書に記載されている接続キャリアの第１の実施形態を概略断面図を使用して示している。図１Ｂは、対応する分解図を示している。図１Ｃは、概略上面図を示している。
【００７２】
接続キャリア１は、基板１０を備えており、基板１０は、例えば、本明細書に記載されている多層キャリア金属板である。基板１０は、上面１０ａと、下面１０ｂと、側面１０ｃとを備えており、側面１０ｃは、上面１０ａを下面１０ｂに結合している。基板上面１０ａに結合要素１１が配置されており、結合要素１１は、環または枠の形で中央領域１８を囲んでいる（例えば図１Ｂおよび図１Ｃを参照）。結合要素１１は、材料間固定法において基板１０に結合されている。
【００７３】
基板とは反対側の結合要素カバー面１１ａにおいて、結合要素１１に２つの接触要素１２が成膜されており、これらの接触要素１２は材料間固定法において結合要素１１に結合されている。結合要素１１は、基板１０の基板上面１０ａの主延在方向に平行に、横方向において接触要素１２よりも突き出している。
【００７４】
結合要素とは反対側の面に、接触要素カバー面１２ａが形成されており、接触要素カバー面１２は、部分的に絶縁要素１３によって覆われている。絶縁要素１３と接触要素１２は、例えば、材料間固定法において互いに結合されている。さらに絶縁要素１３は、基板上面１０ａの中央領域１８を、環または枠の形で囲んでいることができる。
【００７５】
絶縁要素１３は、接触要素カバー面１２ａに沿って接触要素側面１２ｃまで導かれている。絶縁要素１３は、基板側面１０ｃに面する側において、接触要素側面１２ｃを完全に覆っており、かつ、結合要素カバー面１１ａにおいて結合要素１１に直接接触している。この実施形態の場合、さらに結合要素１１は、側面の各位置において絶縁要素１３よりも完全に突き出している、または絶縁要素１３と端面が揃っている。
【００７６】
接触要素１２は、結合要素１１および絶縁要素１３によって、接続キャリア１の外縁部に面する側において、結合要素１１および絶縁要素１３の電気絶縁材料によって完全に覆われている。
【００７７】
例えば図１Ｂおよび図１Ｃから明らかなように、この接続キャリアは、基板１０の向かい合う象限（quadrant）に配置されている実装開口部１４をさらに含む。実装開口部１４の周囲には、結合要素１１、接触要素１２、および絶縁要素１３が存在しない。しかしながら、絶縁要素１３が特に基板１０の外縁部まで導かれ、実装開口部１４も横方向において完全に囲むことも可能である。
【００７８】
接続キャリア１は、接点１５をさらに含み、接点１５は、実装開口部１４によって占有されていない象限に配置されている。これらの接触要素に絶縁要素１３は取り付けられておらず、接触要素１２に自由にアクセス可能であり、接点１５において接触可能である。
【００７９】
結合要素１１、接触要素１２、および絶縁要素１３（適切な場合）は、打ち抜きまたはレーザ切断加工などの工程によって構造化することができ、したがってこれらの要素は、特に、湾曲した外面を有することができる。基板上面１０ａの中央領域１８において、例えば、結合要素１１の向かい合う縁部の間の直径Ｄ１は、この場合には１７．９ｍｍとすることができる。例えば、接触要素１２の向かい合う縁部の間の直径Ｄ２を１８．７ｍｍとすることができ、絶縁要素１３の向かい合う縁部の間の直径Ｄ３を１９．８ｍｍとすることができる。公差は、例えばそれぞれ１ｍｍである。
【００８０】
図１Ａに示した実施形態の変形形態においては、絶縁要素１３が、中央領域１８に面する接触要素１２および結合要素１１の側において、基板１０まで導かれることも可能である。この形態は、図１Ａの右側領域において破線によって示してある。例えば、絶縁要素１３がフィルムとして設計されておらず、例えばソルダーレジストによる被覆部として設計されている場合、この形態は絶縁要素１３の経路の可能なバリエーションである。この場合、絶縁要素１３は例えば白色であり、したがって接触要素１２または結合要素１１による光学的減損を防止することができる。
【００８１】
本明細書に記載されている接続キャリアのさらなる実施形態について、図２の概略断面図に関連してさらに詳しく説明する。
【００８２】
図２は、基板１０を備えた接続キャリアを示しており、基板１０は、基板上面１０ａと、基板上面１０ａとは反対側の基板下面１０ｂと、基板側面１０ｃとを備えている。さらに接続キャリア１は、結合要素１１（電気絶縁性である）と、接触要素１２（導電性である）と、絶縁要素１３（電気絶縁性である）とを備えている。結合要素１１は基板上面１０ａに配置されており、接触要素１２は、基板１０とは反対側の結合要素１１の面に配置されており、絶縁要素１３は、結合要素１１とは反対側の接触要素１２の面に配置されている。結合要素１１は、横方向に接触要素１２よりも突き出している。基板側面１０ｃは、基板上面１０ａと基板下面１０ｂを結合している。絶縁要素１３は、結合要素１１とは反対側の接触要素カバー面１２ａにおいてと、基板側面１０ｃの側の接触要素側面１２ｃとにおいて、接触要素１２を覆っている。基板上面１０ａは、中央領域１８において自由にアクセス可能であり、中央領域１８の側方は絶縁要素１３によって囲まれている。
【００８３】
図２における実施形態では、図１Ａにおける実施形態とは異なり、絶縁要素１３が、接触要素カバー面１２ａに沿って接触要素側面１２ｃを経て、結合要素カバー面１１ａから基板上面１０ａまで導かれている。絶縁要素１３が基板１０の外縁部と端面が揃っている、または基板１０が横方向に絶縁要素１３よりも突き出していることが可能である。
【００８４】
本明細書に記載されている接続キャリアのさらなる実施形態について、図３の概略断面図に関連してさらに詳しく説明する。基板１０を有する接続キャリアを示してあり、基板１０は、基板上面１０ａと、基板上面１０ａとは反対側の基板下面１０ｂと、基板側面１０ｃとを備えている。さらに、接続キャリアは、結合要素１１（電気絶縁性である）と、接触要素１２（導電性である）と、絶縁要素１３（電気絶縁性である）とを備えている。結合要素１１は基板上面１０ａに配置されており、接触要素１２は、基板１０とは反対側の結合要素１１の面に配置されており、絶縁要素１３は、結合要素１１とは反対側の接触要素１２の面に配置されている。結合要素１１は、横方向に接触要素１２よりも突き出している。基板側面１０ｃは、基板上面１０ａと基板下面１０ｂを結合している。絶縁要素１３は、結合要素１１とは反対側の接触要素カバー面１２ａにおいてと、基板側面１０ｃの側の接触要素側面１２ｃとにおいて、接触要素１２を覆っている。基板上面１０ａは、中央領域１８において自由にアクセス可能であり、中央領域１８の側方は絶縁要素１３によって囲まれている。
【００８５】
この実施形態では、図２の実施形態に加えて、中央領域１８を環または枠の形で囲んでいる堤体１６が形成されている。堤体１６は、例えば色を有する電気絶縁材料から形成することができる。堤体１６は、有色、放射吸収性、または白色に見えるように、例えば、顔料によって満たされたシリコーン材料を使用して形成することができる。堤体は、例えば、二酸化チタンによって満たされたシリコーンを使用して形成されており、したがって白色に見える。
【００８６】
これに代えて、堤体１６が絶縁要素１３の材料を使用して形成されていることが可能である。
【００８７】
いずれの場合も、この実施形態では、中央領域１８に面する接触要素１２の側も電気絶縁材料によって囲まれている。半導体チップを接続できるようにすることのみを目的として、堤体または絶縁要素に凹部が存在する（図３には示していない）。
【００８８】
堤体１６を使用して、被覆材料２２（例えば図４Ａを参照）を囲むこともできる。
【００８９】
本明細書に記載されている、第１の実施形態に係るオプトエレクトロニクス部品について、図４Ａおよび図４Ｂの概略図に関連してさらに詳しく説明する。このオプトエレクトロニクス部品においては、本明細書に記載されている各接続キャリア１を使用することができる。
【００９０】
接続キャリア１は基板１０を備えており、基板１０は、基板上面１０ａと、基板上面１０ａとは反対側の基板下面１０ｂと、基板側面１０ｃとを備えている。さらに、接続キャリアは、結合要素１１（電気絶縁性である）と、接触要素１２（導電性である）と、絶縁要素１３（電気絶縁性である）とを備えている。図１、図２、および図３の実施形態において示したように、結合要素１１は基板上面１０ａに配置されており、接触要素１２は、基板１０とは反対側の結合要素１１の面に配置されており、絶縁要素１３は、結合要素１１とは反対側の接触要素１２の面に配置されている。結合要素１１は、横方向に接触要素１２よりも突き出している。基板側面１０ｃは、基板上面１０ａと基板下面１０ｂを結合している。
【００９１】
絶縁要素１３は、結合要素１１とは反対側の接触要素カバー面１２ａにおいてと、基板側面１０ｃの側の接触要素側面１２ｃとにおいて、接触要素１２を覆っている。基板上面１０ａは、中央領域１８において自由にアクセス可能であり、中央領域１８の側方は絶縁要素１３によって囲まれている。図４Ａおよび図４Ｂの例においては、結合要素１１および絶縁要素１３それぞれが基板１０の外縁部まで延在している接続キャリアが使用されており、したがって、接続キャリアの外縁部の側の、絶縁要素１３の側面と、結合要素１１の側面と、基板１０の側面とが、互いに同一平面にある。
【００９２】
さらに本オプトエレクトロニクス部品は、多数のオプトエレクトロニクス半導体チップ２０（例えば発光ダイオードチップ）を備えている。これらの半導体チップ２０の少なくとも一部は、コンタクトワイヤ２１を介して互いに直列に接続されており、コンタクトワイヤは接触要素１２に導電接続されている。さらに、オプトエレクトロニクス半導体チップ２０は包囲体２２によって囲まれており、包囲体２２は、例えば変換材料によって満たされたポッティング材料とすることができる。
【００９３】
半導体チップ２０の側の絶縁要素１３の外縁部１３ｄは、包囲体材料２２の停止縁部としての役割を果たす。
【００９４】
図４Ｂの上面図から明らかなように、本オプトエレクトロニクス部品は、ＥＳＤ保護素子２３をさらに備えており、ＥＳＤ保護素子２３は、例えば、直列に接続されているオプトエレクトロニクス半導体チップ２０に逆並列に接続されているＥＳＤ保護ダイオードである。ＥＳＤ保護素子２３を接続するためにさらなる接触要素１２が設けられており、この接触要素１２はさらなる結合要素１１を介して基板１０に取り付けられている。これに代えて、ＥＳＤ保護素子２３を配置して接続するためのさらなる結合要素１１が必要ないように、接触要素１２を形成することができる。これは例えば、図１Ａ〜図１Ｃの接続キャリアによって可能であり、この場合、２つの位置における２つの接触要素１２が極めて小さい距離を有し、したがって例えば、１つの接触要素から隣接する接触要素にＥＳＤ保護素子２３をワイヤで接続することが可能である。
【００９５】
本明細書に記載されている方法の実施形態について、図５Ａ、図５Ｂ、および図５Ｃに関連してさらに詳しく説明する。この方法においては、複数の基板１０を備えたアセンブリを設ける。アセンブリは、例えば、パネルまたはエンドレスロールである。基板に実装開口部１４および分離開口部１７を、打ち抜きによって作製する。例えば、実装開口部１４および分離開口部１７を同じ作業ステップにおいて事前に打ち抜くことができる。実装開口部１４は、例えば、ねじ、リベット、またはボルトなどの締結要素を収容する目的に使用される。
【００９６】
分離開口部は、各基板１０の外縁部に沿って完全には延びずに、外縁部の大部分にわたり延びている。このようにすることで、基板１０が角部において結合されている。
【００９７】
本接続キャリアまたは本オプトエレクトロニクス部品を製造した後、分離開口部に沿ってアセンブリを分離することによって、基板を互いに分離することができる。
【００９８】
特に、本明細書に記載されている接続キャリアと、本明細書に記載されている部品は、特に高い費用効果で製造できることを特徴とする。本明細書に記載されている接続キャリアと、本明細書に記載されている部品のさらなる利点として、これらを特に安全に使用することができ、その外縁部において沿面距離が回避される。
【００９９】
本発明は、実施形態に基づく説明によって制限されない。むしろ本発明は、新規の各特徴および特徴の各組合せ（特に特許請求項における特徴の各組合せを含む）を包含しており、これらの特徴または特徴の組合せは、それ自体が特許請求項あるいは実施形態に明示的に開示されていない場合であっても、本発明に含まれる。
【０１００】
（関連出願）
本特許出願は、独国特許出願第１０２０１６１０３８１９．９号の優先権が主張されており、この文書の開示内容は参照により本明細書に組み込まれている。
【符号の説明】
【０１０１】
１  接続キャリア
１０  基板
１０ａ  基板上面
１０ｂ  基板下面
１０ｃ  基板側面
１１  結合要素
１１ａ  結合要素カバー面
１１ｃ  結合要素側面
１２  接触要素
１２ａ  接触要素カバー面
１２ｃ  接触要素側面
１３  絶縁要素
１４  実装開口部
１５  接点
１６  堤体
１７  分離開口部
１８  中央領域
２  オプトエレクトロニクス部品
２０  オプトエレクトロニクス半導体チップ
２１  コンタクトワイヤ
２２  包囲体
２３  ＥＳＤ保護素子
Ｄ１  直径
Ｄ２  直径
Ｄ３  直径
【図１Ａ】
2019512165.tif 000003
【図１Ｂ】
2019512165.tif 000004
【図１Ｃ】
2019512165.tif 000005
【図２】
2019512165.tif 000006
【図３】
2019512165.tif 000007
【図４Ａ】
2019512165.tif 000008
【図４Ｂ】
2019512165.tif 000009
【図５Ａ】
2019512165.tif 000010
【図５Ｂ】
2019512165.tif 000011
【図５Ｃ】
2019512165.tif 000012
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
接続キャリア（１）であって、
−  基板上面（１０ａ）と、前記基板上面（１０ａ）とは反対側の基板下面（１０ｂ）と、基板側面（１０ｃ）とを備えている基板（１０）と、
−  電気絶縁性である結合要素（１１）と、
−  導電性である接触要素（１２）と、
−  電気絶縁性である絶縁要素（１３）と、
を備えており、
−  前記結合要素（１１）が前記基板上面（１０ａ）に配置されており、
−  前記接触要素（１２）が、前記基板（１０）とは反対側の前記結合要素（１１）の面に配置されており、
−  前記絶縁要素（１３）が、前記結合要素（１１）とは反対側の前記接触要素（１２）の面に配置されており、
−  前記基板側面（１０ｃ）が、前記基板上面（１０ａ）と前記基板下面（１０ｂ）とを結合しており、
−  前記絶縁要素（１３）が、前記結合要素（１１）とは反対側の接触要素カバー面（１２ａ）において、および、前記基板側面（１０ｃ）の側の接触要素側面（１２ｃ）において、前記接触要素（１２）を覆っており、
−  前記基板上面（１０ａ）が、中央領域（１８）において自由にアクセス可能であり、
−  前記中央領域（１８）の側方が、前記絶縁要素（１３）によって囲まれており、
−  前記絶縁要素（１３）が、前記基板側面（１０ｃ）の側の結合要素側面（１１ｃ）において前記結合要素（１１）を覆っている、
接続キャリア（１）。
【請求項２】
前記結合要素（１１）が、横方向に前記接触要素（１２）を超えて突き出している、
請求項１に記載の接続キャリア（１）。
【請求項３】
前記絶縁要素（１３）が、前記基板（１０）とは反対側の結合要素カバー面（１１ａ）において前記結合要素（１１）を覆っている、
請求項１または請求項２のいずれか１項に記載の接続キャリア（１）。
【請求項４】
前記基板（１０）が、アルミニウムを備えまたはアルミニウムから成る基体を備える、
請求項１から請求項３のいずれか１項に記載の接続キャリア（１）。
【請求項５】
前記絶縁要素（１３）が、部分的に前記基板（１０）に直接接触している、
請求項１から請求項４のいずれか１項に記載の接続キャリア（１）。
【請求項６】
前記中央領域（１８）の側方が、前記絶縁要素（１３）によって完全に囲まれている、
請求項１から請求項５のいずれか１項に記載の接続キャリア（１）。
【請求項７】
前記結合要素（１１）および前記接触要素（１２）が、平面視において部分的に湾曲している、
請求項１から請求項６のいずれか１項に記載の接続キャリア（１）。
【請求項８】
前記基板（１０）が、前記基板上面（１０ａ）の少なくとも前記中央領域（１８）において、光に対する少なくとも８０％の反射率、特に、少なくとも９０％の反射率を有する、
請求項１から請求項７のいずれか１項に記載の接続キャリア（１）。
【請求項９】
オプトエレクトロニクス部品（２）であって、
−  請求項１から請求項８のいずれか１項に記載の接続キャリア（１）と、
−  少なくとも２個のオプトエレクトロニクス半導体チップ（２０）と、
を備えており、
−  前記オプトエレクトロニクス半導体チップ（２０）が、前記基板上面（１０ａ）の前記中央領域（１８）において前記基板（１０）に実装されており、
−  前記オプトエレクトロニクス半導体チップが前記接触要素（１２）に導電接続されている、
オプトエレクトロニクス部品（２）。
【請求項１０】
前記オプトエレクトロニクス半導体チップ（２０）が、透明な電気絶縁性の包囲体（２２）によって囲まれており、前記包囲体（２２）が、基板上面（１０ａ）において前記基板（１０）に直接接触している、
請求項９に記載のオプトエレクトロニクス部品（２）。
【請求項１１】
前記包囲体（２２）が、前記絶縁要素（１３）に直接接触している、
請求項１０に記載のオプトエレクトロニクス部品（２）。
【請求項１２】
前記オプトエレクトロニクス半導体チップ（２０）の側の絶縁要素の外縁部（１３ｄ）が、前記包囲体（２２）の停止縁部としての役割を果たしている、
請求項１１に記載のオプトエレクトロニクス部品（２）。
【請求項１３】
外側から接触する目的で設けられている接点（１５）を除くいずれの位置においても、前記接触要素（１２）が自由にアクセス可能ではない、
請求項９から請求項１２のいずれか１項に記載のオプトエレクトロニクス部品（２）。
【請求項１４】
請求項１から請求項８のいずれかに記載の接続キャリア（１）を製造する方法であって、
前記接続キャリアは、
−  基板上面（１０ａ）と、前記基板上面（１０ａ）とは反対側の基板下面（１０ｂ）と、基板側面（１０ｃ）とを備えている基板（１０）と、
−  電気絶縁性である結合要素（１１）と、
−  導電性である接触要素（１２）と、
−  電気絶縁性である絶縁要素（１３）と、
を備え、
−  互いに結合されている複数の基板（１０）を備えているアセンブリが設けられ、
−  前記基板（１０）に実装開口部（１４）および分離開口部（１７）が打ち抜きによって作製され、
−  前記アセンブリが前記分離開口部（１７）に沿って分離される、
方法。
【請求項１５】
オプトエレクトロニクス部品を製造する方法であって、
−  接続キャリアが請求項１４に記載の方法により作製され、
−  少なくとも２つのオプトエレクトロニクス半導体チップ（２０）が設けられ、
−  前記オプトエレクトロニクス半導体チップ（２０）が前記基板（１０）の前記基板上面の中央領域（１８）に実装され、
−  前記オプトエレクトロニクス半導体チップ（２０）が前記接触要素（１２）に導電接続される、
方法。
【請求項１６】
基板（１０）と、
前記基板（１０）上に、前記基板（１０）の中央領域（１８）を空けて基板側面（１０ｃ）近傍に配置される導電性接触要素（１２）と、
前記基板（１０）と前記接触要素（１２）との間に介在し、前記接触要素（１２）を前記基板（１０）に対して固定する絶縁性固定要素（１１）と、
前記中央領域（１８）の外周を囲んで、かつ、前記導電性接触要素（１２）の上面（１２ａ）、前記導電性接触要素（１２）の前記基板側面側の面（１２ｃ）、および、前記絶縁性固定要素（１１）の前記基板側面側の面（１１ｃ）を覆って配置される絶縁性被覆要素（１３）と、
を備える、接続キャリア（１）。
【請求項１７】
請求項１６に記載の接続キャリア（１）と、
前記基板（１０）の中央領域（１８）に実装され、前記導電性接触要素（１２）に導電接続される複数のオプトエレクトロニクス半導体チップ（２０）と、
を備える、オプトエレクトロニクス部品（２）。
【国際調査報告】
2019512165.tif 000013
2019512165.tif 000014
2019512165.tif 000015
2019512165.tif 000016